(57)【要約】【課題】電柱間に位置する加入者宅へ光ドロップケーブルを引き込むのに有効な光ドロップケーブル余長処理具および光ドロップケーブル引込方法を提供する。【解決手段】電柱間に敷設された吊線９０に光ドロップケーブル余長処理具１を固定するための固定部１０と、固定部１０に連結棒２０を介して連結された第１のダンパー手段３０1，４０と、第１のダンパー手段３０1，４０と直列に設けられたかつ第１のダンパー手段３０1，４０よりも小さな弾性率を有する第２のダンパー手段３０2と、第２のダンパー手段３０2と直列に取り付けられたケーブル支持部５０とを具備する。光ドロップケーブル２は、固定部１０によって支持され、多数回巻き付けられて余長処理され、ケーブル支持部５０によって支持されたのち、加入者宅へ引き込まれる。【選択図】図１
2007330019.tif 000002
【特許請求の範囲】
【請求項１】
電柱間から加入者宅へ光ドロップケーブル（２）を引き込む際に該光ドロップケーブルの余長処理を行うための光ドロップケーブル余長処理具（１，１’）であって、
電柱間に敷設された吊線（９０）に前記光ドロップケーブル余長処理具を固定するための固定手段（１０）と前記加入者宅へ引き込まれる前記光ドロップケーブルを支持するためのケーブル支持手段（５０）との間にダンパー手段（３０1，３０2，４０）を設けたことを特徴とする、光ドロップケーブル余長処理具。
【請求項２】
電柱間から加入者宅へ光ドロップケーブル（２）を引き込む際に該光ドロップケーブルの余長処理を行うための光ドロップケーブル余長処理具（１，１’）であって、
電柱間に敷設された吊線（９０）に前記光ドロップケーブル余長処理具を固定するための固定手段（１０）と、
該固定手段に連結棒（２０）を介して連結された第１のダンパー手段（３０1，４０）と、
該第１のダンパー手段と直列に設けられた、かつ、該第１のダンパー手段よりも小さな弾性率を有する第２のダンパー手段（３０2）と、
該第２のダンパー手段と直列に設けられたケーブル支持手段（５０）と、
を具備し、
前記光ドロップケーブルが、前記固定手段によって支持され、多数回巻き付けられて余長処理され、前記ケーブル支持手段によって支持されたのち、前記加入者宅へ引き込まれる、
ことを特徴とする、光ドロップケーブル余長処理具。
【請求項３】
前記第１のダンパー手段が、第１の筐体（３１1）、および該第１の筐体内に収納された第１のピストン（３２1）を有するストッパ手段と、バネ（４０）とを備え、
前記第２のダンパー手段が、第２の筐体（３１2）、該第２の筐体内に収納された第２のピストン（３２2）、および該第２の筐体内に該第２のピストンのピストンロッドを巻くように収納されたダンパー用バネ（３３2）を有する第２のダンパー（３０2）を備え、
前記第１のピストンのピストンロッドが前記第１の筐体の下面から突出し、該第１のピストンのピストンロッドの先端が前記第２の筐体の上面に取り付けられており、
前記バネが、前記第１の筐体の下面と第２の筐体の上面との間に、前記第１の筐体の下面から突出した前記第１のピストンのピストンロッドを巻くように取り付けられており、
前記第２のピストンのピストンロッドが前記第２の筐体の下面から突出し、該第２のピストンのピストンロッドの先端が前記ケーブル支持手段に取り付けられている、
ことを特徴とする、請求項２記載の光ドロップケーブル余長処理具。
【請求項４】
前記第１のダンパー手段が、前記ストッパ手段の代わりに、第１の筐体（３１1）、該第１の筐体内に収納された第１のピストン（３２1）、および該第１の筐体内に前記第１のピストンのピストンロッドを巻くように収納された他のダンパー用バネ（３３1）を有する第１のダンパー（３０1）を備えることを特徴とする、請求項３記載の光ドロップケーブル余長処理具。
【請求項５】
前記バネの弾性率が、前記第１および第２のダンパー用バネの弾性率よりも大きいことを特徴とする、請求項３または４記載の光ドロップケーブル余長処理具。
【請求項６】
前記連結棒に、前記光ドロップケーブルの余長部分の該連結棒の箇所に取り付けられた第１のスパイラルスリーブ（６０1）が固定され、
前記第２の筐体の下面から突出した前記第２のピストンのピストンロッドに、前記光ドロップケーブルの余長部分の該第２のピストンのピストンロッドの箇所に取り付けられた第２のスパイラルスリーブ（６０2）が固定される、
ことを特徴とする、請求項３乃至５いずれかに記載の光ドロップケーブル余長処理具。
【請求項７】
前記第２の筐体の下面に設けられたスリーブ固定部（７０）をさらに具備し、
前記第２のスパイラルスリーブが、前記第２のピストンのピストンロッドの代わりに、前記スリーブ固定部に固定される、
ことを特徴とする、請求項６記載の光ドロップケーブル余長処理具。
【請求項８】
前記スリーブ固定部が、円筒状の形状を有し、
前記第２のピストンのピストンロッドが、前記スリーブ固定部を貫通している、
ことを特徴とする、請求項７記載の光ドロップケーブル余長処理具。
【請求項９】
電柱間から加入者宅へ光ドロップケーブルを引き込む際に、請求項１乃至８いずれかに記載の光ドロップケーブル余長処理具を用いて該光ドロップケーブルの余長処理を行うことを特徴とする、光ドロップケーブル引込方法。
【発明の詳細な説明】
【技術分野】
【０００１】
本発明は、光ドロップケーブル余長処理具および光ドロップケーブル引込方法に関し、特に、電柱間から加入者宅へ余長を持たせて光ドロップケーブルを引き込むのに好適な光ドロップケーブル余長処理具および光ドロップケーブル引込方法に関する。
【背景技術】
【０００２】
従来、幹線の光ファイバーケーブルから加入者宅へ光ドロップケーブル（引込ケーブル）を引き込む方法として、以下に示すような方法が知られている。
【０００３】
下記の特許文献１には、架空光配線網から引落し対象の家屋などへの光ドロップケーブルの引落しを迅速に効率良く行うために、架空光配線網の光ファイバーに接続された光ドロップケーブルの余長を電柱上部に設けられた余長保留部に取出し可能に保留しておく光ドロップケーブルの保留構造と、引落し時に余長保留部に保留されている余長によって光ドロップケーブルを引込み用電線に添わせるようにして布設することで家屋側の引落し点まで引き込む光ドロップケーブルの引落し方法とが開示されている。
【０００４】
下記の特許文献２には、幹線光ファイバーケーブルからドロップ線を分岐させるような場合に自由な光ファイバーの敷設態様を実現しかつ敷設時の工事費やメンテナンス費を低減するために、余長を持たせて蛇行させた状態で幹線ケーブルの光ファイバーケーブルを支持する支持線と、余長を持たせて蛇行させた状態でドロップ線の光ファイバーケーブルを支持する支持線と、この２つの支持線を連結する連結治具とを備えた光ファイバーケーブルの敷設構造および敷設方法が開示されている。
【特許文献１】特開２００２−１４８４９６号公報
【特許文献２】特開２００５−２６６２６１号公報
【発明の開示】
【発明が解決しようとする課題】
【０００５】
しかしながら、上記の特許文献１に開示されている光ドロップケーブルの保留構造および光ドロップケーブルの引落し方法では、電柱から加入者宅へ光ドロップケーブルを引き込む場合には有効であるかもしれないが、電柱間に位置する加入者宅へ光ドロップケーブルを引き込む場合には、電柱からよりも電柱間から光ドロップケーブルを引き込むことになるため、必ずしも有効であるとはいえない。
上記の特許文献２に開示されている光ファイバーケーブルの敷設構造および敷設方法では、ドロップ線（光ドロップケーブル）に異常なテンションがかかった場合には、ドロップ線が切断されるばかりでなく、加入者宅側の引留具が外れて加入者宅の家屋などに損傷を与えることがあるという問題がある。
【０００６】
本発明の目的は、電柱間に位置する加入者宅へ光ドロップケーブルを引き込むのに有効な光ドロップケーブル余長処理具および光ドロップケーブル引込方法を提供することにある。
【課題を解決するための手段】
【０００７】
本発明の光ドロップケーブル余長処理具は、電柱間から加入者宅へ光ドロップケーブル（２）を引き込む際に該光ドロップケーブルの余長処理を行うための光ドロップケーブル余長処理具（１，１’）であって、電柱間に敷設された吊線（９０）に前記光ドロップケーブル余長処理具を固定するための固定手段（１０）と前記加入者宅へ引き込まれる前記光ドロップケーブルを支持するためのケーブル支持手段（５０）との間にダンパー手段（３０1，３０2，４０）を設けたことを特徴とする。
また、本発明の光ドロップケーブル余長処理具は、電柱間から加入者宅へ光ドロップケーブル（２）を引き込む際に該光ドロップケーブルの余長処理を行うための光ドロップケーブル余長処理具（１，１’）であって、電柱間に敷設された吊線（９０）に前記光ドロップケーブル余長処理具を固定するための固定手段（１０）と、該固定手段に連結棒（２０）を介して連結された第１のダンパー手段（３０1，４０）と、該第１のダンパー手段と直列に設けられたかつ該第１のダンパー手段よりも小さな弾性率を有する第２のダンパー手段（３０2）と、該第２のダンパー手段と直列に設けられたケーブル支持手段（５０）とを具備し、前記光ドロップケーブルが、前記固定手段によって支持され、多数回巻き付けられて余長処理され、前記ケーブル支持手段によって支持されたのち、前記加入者宅へ引き込まれることを特徴とする。
ここで、前記第１のダンパー手段が、第１の筐体（３１1）および該第１の筐体内に収納された第１のピストン（３２1）を有するストッパ手段とバネ（４０）とを備え、前記第２のダンパー手段が、第２の筐体（３１2）、該第２の筐体内に収納された第２のピストン（３２2）および該第２の筐体内に該第２のピストンのピストンロッドを巻くように収納されたダンパー用バネ（３３2）を有する第２のダンパー（３０2）を備え、前記第１のピストンのピストンロッドが前記第１の筐体の下面から突出し、該第１のピストンのピストンロッドの先端が前記第２の筐体の上面に取り付けられており、前記バネが、前記第１の筐体の下面と第２の筐体の上面との間に、前記第１の筐体の下面から突出した前記第１のピストンのピストンロッドを巻くように取り付けられており、前記第２のピストンのピストンロッドが前記第２の筐体の下面から突出し、該第２のピストンのピストンロッドの先端が前記ケーブル支持手段に取り付けられていてもよい。
前記第１のダンパー手段が、前記ストッパ手段の代わりに、第１の筐体（３１1）、該第１の筐体内に収納された第１のピストン（３２1）および該第１の筐体内に前記第１のピストンのピストンロッドを巻くように収納された他のダンパー用バネ（３３1）を有する第１のダンパー（３０1）を備えてもよい。
前記バネの弾性率が、前記第１および第２のダンパー用バネの弾性率よりも大きくてもよい。
前記連結棒に、前記光ドロップケーブルの余長部分の該連結棒の箇所に取り付けられた第１のスパイラルスリーブ（６０1）が固定され、前記第２の筐体の下面から突出した前記第２のピストンのピストンロッドに、前記光ドロップケーブルの余長部分の該第２のピストンのピストンロッドの箇所に取り付けられた第２のスパイラルスリーブ（６０2）が固定されてもよい。
前記第２の筐体の下面に設けられたスリーブ固定部（７０）をさらに具備し、前記第２のスパイラルスリーブが、前記第２のピストンのピストンロッドの代わりに、前記スリーブ固定部に固定されてもよい。
前記スリーブ固定部が、円筒状の形状を有し、前記第２のピストンのピストンロッドが、前記スリーブ固定部を貫通していてもよい。
【０００８】
本発明の光ドロップケーブル引込方法は、電柱間から加入者宅へ光ドロップケーブルを引き込む際に、本発明の光ドロップケーブル余長処理具を用いて該光ドロップケーブルの余長処理を行うことを特徴とする。
【発明の効果】
【０００９】
本発明の光ドロップケーブル余長処理具および光ドロップケーブル引込方法は、以下の効果を奏する。
（１）光ドロップケーブルに異常なテンションがかかっても第１および第２のダンパー手段（テンション吸収手段）によって吸収することができるので、光ドロップケーブルが切断されたり、加入者宅側の引留具が外れて加入者宅の家屋などに損傷を与えたりすることを防止することができる。
（２）電柱間の引込み点に光ドロップケーブルの余長を取ることができるので、支障移転や加入者変更などが生じた場合でも光ドロップケーブルを再敷設する必要がない。
【発明を実施するための最良の形態】
【００１０】
上記の目的を、弾性率の異なる第１および第２のダンパー手段を直列に設けた光ドロップケーブル余長処理具を用いて余長を持たせて光ドロップケーブルを電柱間から加入者宅へ引き込むことにより実現した。
【実施例１】
【００１１】
以下、本発明の光ドロップケーブル余長処理具および光ドロップケーブル引込方法の実施例について、図面を参照して説明する。
本発明の第１の実施例による光ドロップケーブル余長処理具１は、図１に示すように、固定部１０と、連結棒２０と、第１および第２のダンパー３０1，３０2と、バネ４０と、ケーブル支持部５０とを具備する。
ここで、第１のダンパー３０1およびバネ４０は弾性率の大きい第１のダンパー手段として機能し、第２のダンパー３０2は弾性率の小さい第２のダンパー手段として機能する。
【００１２】
固定部１０は、電柱間に敷設された吊線９０（図５参照）に光ドロップケーブル余長処理具１を固定するとともに、電柱間から加入者宅へ引き込まれる光ドロップケーブル２と連結棒２０とを支持するためのものであり、図２に示すように、第１乃至第４の挟持板１１1〜１１4と、ボルト１２と、ボルト側ワッシャー１３と、ナット側ワッシャー１４と、ナット１５とを備える。
【００１３】
第１および第２の挟持板１１1，１１2は、一方の側面に突起部を有する平板形状を有し、第３の挟持板１１3は平板形状を有し、第４の挟持板１１4はＬ字状の板形状を有する。また、第１乃至第４の挟持板１１1〜１１4には、ボルト１２を貫通させるためのボルト貫通孔がそれぞれ設けられている。なお、連結棒２０の一端にも、図３に示すように、ボルト貫通孔２１が設けられている。
ボルト１２は、ボルト側ワッシャー１３、第１および第２の挟持板１１1，１１2のボルト貫通孔、連結棒２０のボルト貫通孔２１、第３および第４の挟持板１１3，１１4のボルト貫通孔、ナット側ワッシャー１４の順番に挿入される。
【００１４】
第１および第２の挟持板１１1，１１2の突起部の間に光ドロップケーブル２のメッセンジャーワイヤ部分を挟み、第２および第３の挟持板１１2，１１3の間に連結棒２０を挟むとともに、第３および第４の挟持板１１3，１１4の間のボルト１２の上側に吊線９０を挟んで、ボルト１２とナット１５とで第１乃至第４の挟持板１１1〜１１4を両側から締め付けることにより、光ドロップケーブル余長処理具１が吊線９０に固定されるとともに、光ドロップケーブル２および連結棒２０が固定部１０によって支持される。
なお、吊線９０は、図２に示すように、第３および第４の挟持板１１3，１１4によって横方向に挟持されるとともに、第４の挟持板１１4のＬ字の横板とボルト１２によって縦方向に挟持される。
【００１５】
連結棒２０の他端は、第１のダンパー３０1の上面に取り付けされている。
【００１６】
第１のダンパー３０1は、図１に示すように、直方体形状の第１の筐体３１1と、第１のピストン３２1と、第１のダンパー用バネ３３1とを備える。ここで、第１の筐体３１1はピストン収納部を有し、第１のピストン３２1および第１のダンパー用バネ３３1は第１の筐体３１1のピストン収納部に収納されており、第１のダンパー用バネ３３1は第１のピストン３２1と第１の筐体３１1のピストン収納部の下面との間に収納されている。
第１の筐体３１1の下面には、第１のピストン３２1のピストンロッドを突出させるための貫通孔が形成されている。
第１の筐体３１1の貫通孔から突出された第１のピストン３２1のピストンロッドは、第２のダンパー３０2の上面に取り付けられている。
【００１７】
第２のダンパー３０2も、第１のダンパー３０1と同様に、直方体形状の第２の筐体３１2と、第２のピストン３２2と、第２のダンパー用バネ３３2とを備える。ここで、第２の筐体３１2はピストン収納部を有し、第２のピストン３２2および第２のダンパー用バネ３３2は第２の筐体３１2のピストン収納部に収納されており、第２のダンパー用バネ３３2は第２のピストン３２2と第２の筐体３１2のピストン収納部の下面との間に収納されている。
第２の筐体３１2の下面には、第２のピストン３２2のピストンロッドを突出させるための貫通孔が形成されている。
第２の筐体３１1の貫通孔から突出された第２のピストン３２2のピストンロッドの先端には、図３に示した連結棒２０と同様に、ボルト貫通孔が設けられている。
【００１８】
バネ４０は、第１および第２のダンパー３０1，３０2の間に第１のピストン３２1のピストンロッドを巻くように設けられている。なお、バネ４０の一端は第１のダンパー３０1の第１の筐体３１1の下面に取り付けられており、バネ４０の他端は第２のダンパー３０2の第２の筐体３１2の上面に取り付けられている。
また、バネ４０の弾性率は、第１のダンパー３０1の第１のダンパー用バネ３３1および第２のダンパー３０2の第２のダンパー用バネ３３2の弾性率よりも大きくされている。
【００１９】
ケーブル支持部５０は、加入者宅に設けられた引留具との間で光ドロップケーブル２を支持するためのものである。ケーブル支持部５０は、図４に示すように、支持金具５１と、支持台５２と、第１および第２の挟持板５３1，５３2と、ボルト５４と、ナット側ワッシャー５５と、ナット５６とを備える。
ここで、支持金具５１は、ボルト５４のボルト頭側の側面の下部に突出部を有する平板形状を有し、第１および第２の挟持板５３1，５３2は平板形状を有する。
【００２０】
また、支持金具５１と第１および第２の挟持板５３1，５３2には、ボルト５４を貫通させるためのボルト貫通孔がそれぞれ設けられている。ボルト５４は、支持金具５１のボルト貫通孔、第１の挟持板５３1のボルト貫通孔、第２のピストン３２2のピストンロッドに形成されたボルト貫通孔、第２の挟持板５３2のボルト貫通孔、ナット側ワッシャー５５の順番に挿入される。
支持台５２は、光ドロップケーブル２を載せて支持するためのものであり、図１に示すように、第１の挟持板５３1の図示左下隅に設けられている。
【００２１】
支持金具５１の突出部と第１の挟持板５３1との間に光ドロップケーブル２のメッセンジャーワイヤ部分を挟むとともに、第１および第２の挟持板５３1，５３2の間に第２のピストン３２2のピストンロッドを挟んで、ボルト５４とナット５６とで支持金具５１と第１および第２の挟持板５３1，５３2とを両側から締め付けることにより、光ドロップケーブル２および第２のピストン３２2がケーブル支持部５０によって支持される。
【００２２】
次に、図１に示した光ドロップケーブル余長処理具１の使用方法について、図５を参照して説明する。
作業員は、電柱間から加入者宅へ光ドロップケーブル２を引き込む際には、図２に示したように、光ドロップケーブル余長処理具１の固定部１０の第３および第４の挟持板１１3，１１4の間に吊線９０を挟むとともに、第１および第２の挟持板１１1，１１2の突起部の間に光ドロップケーブル２のメッセンジャーワイヤ部を挟んだのち、ボルト１２とナット１５とによって第１乃至第４の挟持板１１1〜１１4を両側から締め付けて、光ドロップケーブル余長処理具１を吊線９０に固定するとともに光ドロップケーブル２を支持する。このとき、第２および第３の挟持板１１2，１１3の間に挟まれた連結棒２０も固定部１０によって前後左右に動かないように支持される。
【００２３】
続いて、作業員は、光ドロップケーブル２を多数回巻いて光ドロップケーブル２の余長処理を行う。その後、作業員は、多数回巻いた光ドロップケーブル２の上部に第１のスパイラルスリーブ６０1を取り付けたのち、連結棒２０に粘着テープなどで固定する。同様に、作業員は、多数回巻いた光ドロップケーブル２の下部に第２のスパイラルスリーブ６０2を取り付けたのち、第２のダンパー３０2の第２のピストン３２2のピストンロッドに粘着テープなどで固定する。また、作業員は、多数回巻いた光ドロップケーブル２の左右に第３および第４のスパイラルスリーブ６０3，６０4をそれぞれ取り付ける。
【００２４】
続いて、作業員は、第３のスパイラルスリーブ６０3が取り付けられた部分から加入者宅へ引き込む光ドロップケーブル２をケーブル支持部５０の支持台５２に沿って載せたのち、図４に示したように、光ドロップケーブル２のメッセンジャーワイヤ部を支持金具５１と第１の挟持板５３1との間に挟んだのちに、ボルト５４とナット５６とによって支持金具５１と第１および第２の挟持板５３1，５３2とを両側から締め付けて、光ドロップケーブル２をケーブル支持部５０によって支持させる。このとき、第１および第２の挟持板５３1，５３2の間に挟まれた第２のピストン３２2もケーブル支持部５０によって支持される。
【００２５】
次に、光ドロップケーブル２にテンション（張力）が加わったときの光ドロップケーブル余長処理具１の動きについて、図６および図７を参照して説明する。
光ドロップケーブル２が何らかの原因で引っ張られて光ドロップケーブル２にテンションが加わると、図６に示すように、第２のダンパー３０2の第２のピストン３２2がケーブル支持部５０に向かって動くため、光ドロップケーブル２に加えられたテンションを第２のダンパー３０2によって吸収することができる。このとき、光ドロップケーブル２の余長処理が行われた部分（以下、「余長部分」と称する。）は図示下方向に伸びるが、第２のピストン３２2の移動距離を小さくすることにより、第１乃至第４のスパイラルスリーブ６０1〜６０4が破損して光ドロップケーブル２の余長部分が解けて垂れ下がることを防止することができるとともに家屋の破損も防止することができる。
【００２６】
光ドロップケーブル２が強く引っ張られて光ドロップケーブル２にさらに大きなテンションが加わっても、第２のダンパー３０2によってこのテンションを吸収することができるとともに、第２のピストン３２2が第２の筐体３１2の下面近くまで動いてそれ以上動けなくなっても、図７に示すように、バネ４０がケーブル支持部５０に向かって伸びるとともに第１のダンパー３０1の第１のピストン３２1がケーブル支持部５０に向かって動くため、光ドロップケーブル２に加えられた大きなテンションを吸収することができる。
このとき、光ドロップケーブル２の余長部分は図示下方向にさらに伸びるが、第１のダンパー３０1の第１のピストン３２1の移動距離をバネ４０が伸び切った長さよりも大きくしておけば、光ドロップケーブル２に加えられた大きなテンションによりバネ４０が切れ、第１乃至第４のスパイラルスリーブ６０1〜６０4が破損して光ドロップケーブル２の余長部分が解けて垂れ下がるため、光ドロップケーブル２が切断されるのを防止することができる。
【００２７】
なお、光ドロップケーブル２に加えられたテンションがなくなった場合には、第１のダンパー３０1の第１のピストン３２1が第１のダンパー用バネ３３1によって固定部１０に向かって動き、バネ４０が縮むとともに、第２のダンパー３０2の第２のピストン３２2が第２のダンパー用バネ３３2によって固定部１０に向かって動くため、光ドロップケーブル余長処理具１は図５に示した元の状態に戻り、光ドロップケーブル２の余長部分も図５に示した元の状態に戻る。
【実施例２】
【００２８】
次に、本発明の第２の実施例による光ドロップケーブル余長処理具について、図８乃至図１０を参照して説明する。
本実施例による光ドロップケーブル余長処理具１’は、図８に示すように、第２のダンパー３０2の第２の筐体３１2の下面に設けられたスリーブ固定部７０を具備する点で、図１に示した第１の実施例による光ドロップケーブル余長処理具１と異なる。
ここで、スリーブ固定部７０は、円筒状の形状を有し、第２のダンパー３０2の第２のピストン３２2のピストンロッドがスリーブ固定部７０を貫通するようにされている。
【００２９】
この光ドロップケーブル余長処理具１’では、図９に示すように、第２のスパイラルスリーブ６０2は、スリーブ固定部７０に粘着テープなどによって固定される。
これにより、光ドロップケーブル２にテンションが加わり、図１０に示すように、第２のダンパー３０2の第２のピストン３２2がケーブル支持部５０に向かって動いても、第２のスパイラルスリーブ６０2はケーブル支持部５０の方向に引っ張られないため、光ドロップケーブル２の余長部分の形状を保つことができる。
【００３０】
以上の説明では、第１のダンパー３０1は第１のダンパー用バネ３３1を備えたが、第１のピストン３２1はバネ４０の伸縮に伴って動けばよいため、第１のダンパー用バネ３３1はなくてもよい。この場合には、第１のダンパー３０1は、バネ４０が伸びる距離を制限するストッパとしての機能のほか、バネ４０が切れても光ドロップケーブル余長処理具１，１’が分解されることを防止する機能を有する。
【００３１】
また、第１および第２のスパイラルスリーブ６０1，６０2を連結棒２０、第２のピストン３２2のピストンロッドおよびスリーブ固定部７０にそれぞれ固定するのに粘着テープを用いたが、図１１（ａ）に示すようなプッシュマウント形の固定具１００を用いてもよい。
固定具１００は、棒状の本体部１０１と、本体部１０１の先端に取り付けられた半円球の突起部１０２とを備える。本体部１０１は、末端が第１および第２のスパイラルスリーブ６０1，６０2にそれぞれ取り付けられている。
作業員は、たとえば第１のスパイラルスリーブ６０1を連結棒２０に固定する際には、図１１（ｂ），（ｃ）に示すように、固定具１００の突起部１０２を連結棒２０に形成された貫通孔に差し込んで貫通させる。
【産業上の利用可能性】
【００３２】
以上説明したように、本発明の光ドロップケーブル余長処理具および光ドロップケーブル引込方法は、電柱間から加入者宅へ余長を持たせて光ドロップケーブルを引き込むのに利用することができる。
【図面の簡単な説明】
【００３３】
【図１】本発明の第１の実施例による光ドロップケーブル余長処理具１の構成を説明するための図である。
【図２】図１に示した固定部１０の構成を説明するための図である。
【図３】図１に示した連結棒２０の一端に形成されたボルト貫通孔２１を示す図である。
【図４】図１に示したケーブル支持部５０の構成を説明するための図である。
【図５】図１に示した光ドロップケーブル余長処理具１の使用方法を説明するための図である。
【図６】光ドロップケーブル２にテンションが加わったときの図１に示した光ドロップケーブル余長処理具１の動きについて説明するための図である。
【図７】光ドロップケーブル２にテンションが加わったときの図１に示した光ドロップケーブル余長処理具１の動きについて説明するための図である。
【図８】本発明の第２の実施例による光ドロップケーブル余長処理具１’の構成を説明するための図である。
【図９】図８に示した光ドロップケーブル余長処理具１’の使用方法を説明するための図である。
【図１０】光ドロップケーブル２にテンションが加わったときの図８に示した光ドロップケーブル余長処理具１’の動きについて説明するための図である。
【図１１】第１および第２のスパイラルスリーブ６０1，６０2を連結棒２０、第２のピストン３２2のピストンロッドおよびスリーブ固定部７０にそれぞれ固定するための固定具１００について説明するための図である。
【符号の説明】
【００３４】
１，１’  光ドロップケーブル余長処理具
２，１０１  光ドロップケーブル
１０  固定部
１１1〜１１4  第１乃至第４の挟持板
１２  ボルト
１３  ボルト側ワッシャー
１４  ナット側ワッシャー
１５  ナット
２０  連結棒
２１  ボルト貫通孔
３０1，３０2  第１および第２のダンパー
３１1，３１2  第１および第２の筐体
３２1，３２2  第１および第２のピストン
３３1，３３2  第１および第２のダンパー用バネ
４０  バネ
５０  ケーブル支持部
５１  支持金具
５２  支持台
５３1，５３2  第１および第２の挟持板
５４  ボルト
５５  ナット側ワッシャー
５６  ナット
６０1〜６０4  第１乃至第４のスパイラルスリーブ
７０  スリーブ固定部
９０  吊線
１００  固定具
１０１  本体部
１０２  突起部
【図１】
2007330019.tif 000003
【図２】
2007330019.tif 000004
【図３】
2007330019.tif 000005
【図４】
2007330019.tif 000006
【図５】
2007330019.tif 000007
【図６】
2007330019.tif 000008
【図７】
2007330019.tif 000009
【図８】
2007330019.tif 000010
【図９】
2007330019.tif 000011
【図１０】
2007330019.tif 000012
【図１１】
2007330019.tif 000013